(57)【特許請求の範囲】
【請求項１】
フットボール、ラグビー、サッカー又は他の類似のスポーツをプレーするときに履く靴であって、
該靴は、甲を有する上部（１４）、および該靴の甲又はそれに隣接して、該靴に装着され又は一体となる少なくとも一つの挿入物（２４，２４a、２４ｂ、２４ｃ、２４ｄ、２４e、２４ｆ、２４ｇ、９２４、５２１、６０）を有し、該挿入物はそれぞれ、前端および後端を有し長手方向に延びる、間隔をおいた一対のリッジを規定し、
該甲は、該甲に接するボールを実質的に囲む、横断面が湾曲し上部がほぼ凹形の表面（２８，９２８）を有し、
該上部はさらに、足指領域（３２）を有し、該挿入物は、該足指領域（３２）の後ろ側の前端で、それぞれ上部先端（４２，４２ｂ、４２ｃ）を有する前面（４０、４０ｂ、４０ｃ、９４０、５４０）を有し、該上部先端は、長手方向に延びる間隔をおいたそれぞれのリッジの前端を規定することを特徴とする靴。
【請求項２】
各リッジが、少なくともそれらの前端での高さが、それらの後端での高さより少なくとも高い、請求項１に記載の靴。
【請求項３】
前記前面（４０、４０b、４０c）が、実質的に三角形の形状を有する、請求項１又は２に記載の靴。
【請求項４】
前記リッジが、実質的に三角形の垂直断面を有する、請求項３に記載の靴。
【請求項５】
前記上部（１４）が前記前面の前方に、前記リッジに関連する高さが減少した上部表面領域を有する、請求項１〜４のいずれかに記載の靴。
【請求項６】
前記リッジおよび前記実質的に凹形の表面が前記上部（１４）と一体である、請求項１〜５のいずれかに記載の靴。
【請求項７】
前記リッジ（５２４）が、前記上部（１４）に取り外し可能又は固定可能に装着される１個の挿入物（５２１）によって規定されている、請求項１〜５のいずれかに記載の靴。
【請求項８】
前記一つの挿入物の各側面に沿って固定手段（５２３、５３５）がある、請求項７に記載の靴。
【請求項９】
前記１個の挿入物が中空であり、充填媒体が該中空を充填するために備えられ靴形状の変化を補償する、請求項７又は８に記載の靴。
【請求項１０】
前記各リッジがそれらの長さに沿って実質的に一定の高さである、請求項１〜９のいずれかに記載の靴。
【請求項１１】
前記各リッジが、そこに接するボールを実質的に囲む湾曲した断面の凹形の側面（２６）をそれぞれ有する、請求項１〜１０のいずれかに記載の靴。
【請求項１２】
前記前面が凹形であり、かつそこに接するボールを実質的に囲む湾曲した横断面を有する、請求項１〜１１のいずれかに記載の靴。
【請求項１３】
前記足指領域（３２）が凹形であり、かつそこに接するボールを実質的に囲む湾曲した横断面を有する、請求項１〜１２のいずれかに記載の靴。
【請求項１４】
前記甲のそれぞれの側部にある前記リッジが、該甲でキックしたボールにカーブした軌道を与えるために高さが異なる前面（４０）を有する、請求項１〜１３のいずれかに記載の靴。
【請求項１５】
前記凹形表面が、前記足指領域の後ろ側および前記二つのリッジ間から後方へ延びる実質的に凹形の谷（２７）によって規定され、該谷は横断湾曲を有し、該甲と接するボールを実質的に囲む、請求項１〜１４のいずれかに記載の靴。
【発明の詳細な説明】
【０００１】
（発明の分野）
本発明は、スポーツ用履き物に関し、特に、この履き物がボールなどを蹴るのに使用される場合（それに限る訳ではないが）のスポーツ用履き物に関する。
【０００２】
（発明の背景）
選手がボールを蹴るスポーツでは、ボールを蹴る人の足を保護する靴またはブーツを使用するのが普通である。スポーツが変わると、その靴またはブーツの性質は、ボールを蹴る様式および蹴るボールの性質を考慮して、変わる。しかしながら、いずれの場合でも、この靴またはブーツは、人間の足の生来の形状に追従するようにされる。
【０００３】
人間の足のうち蹴りを加える部分の形状は、一般に、ボールの形状に合致しない。例えば、オーストラリア式フットボール、ラグビーおよびアメリカンフットボールのようなスポーツでは、ボールの形状（楕円形である）は、蹴りを加える足の部分（甲）に一致しない。混乱を避けるために、本明細書全体を通じて、甲とは、足の上面であり、そして土踏まずとは、足の底面である。甲の先端は、蹴るとき、長手方向および側方の両方で、本質的に凸状になり、従って、ボールとの接触は、甲の一部に沿って、狭い帯になり易い。もし、ボールが甲と正しく接触しないなら、角度を付けて斜めに進み得、その結果、正確な蹴りとはとても言えなくなる。また、もし、ボールが、甲の高すぎる部分または低すぎる部分のいずれかに当たると、ボールの軌道は望ましいものではなくなり、得られる蹴りは、思っていたほどに有効ではなくなる。
【０００４】
円形のボールを使用するサッカーのようなスポーツでは、ブーツの先端、甲、および足の外側および内側は、全て、踵と同様に、蹴り目的に使用される。再度、使用する足の部分の形状がボールの形状と一致しないという問題があり、従って、その接触面は、極めて限られている。このことは、ボールを望ましい場所に望ましい軌道で進めるには、常に有効である訳ではない。
【０００５】
これらのスポーツの熟練選手は、殆どの場合、極めてうまくボールを処理できているものの、要求された結果をいつでも達成できる選手はいない。
【０００６】
（従来技術の考慮）
ＧＢ２，０６０，３５１Ａの明細書では、平面状部分１１を有するスポーツブーツが開示されており、この部分は、比較的に厚く、ブーツ１０に一体的に組み込まれている。これは、平坦な蹴り面１４を有しており、これは、このブーツの先端から、甲全体を覆って、足首領域まで伸長している。これは、平坦な領域を提供し、従って、（蹴りが甲の中心から僅かに外れていることによる）ひどく不正確な蹴りの数を少なくする傾向にあるものの、蹴りを正確にするためにボールを”カップ状に取り囲む（ｃｕｐ）”ことはない。さらに、それは、比較的に厚い部品であるので、柔軟ではない。それは、足指から甲の先端まで伸長しているので、このことは、足指を曲げたり足を屈曲できないことから（これらの動作は、走るのに必要である）、このような靴を着用している選手が正常な様式で歩いたり走ったりできないことを意味する。その唯一の目的は、蹴りのためにある。従って、それは、ラグビーのようなスポーツでのプレースキックに適当であるにすぎない。この明細書は、その蹴り面が僅かに凹形であり得ることを開示しているものの、蹴ったときに大きな精度を与えるために、ボールの”カッピング（ｃｕｐｐｉｎｇ）”という発想を開示していない。
【０００７】
さらに別の開示は、ＥＰ０，３５９，０８２Ａ２の明細書にある。ここでは、隆起部（これは、甲のいずれかの側に配置されており、そして甲の長さにわたって伸長しいる）を有するスポーツ靴が開示されている。各隆起部は、ボールと接触する上端を有し、その運動量が２個の接触端面の間にあるようにされる。これらの隆起部の１個は、他の隆起部よりも高く、その結果、この靴の案内性は、中心通過が行われるとき、高くなる。さらに、これらの隆起部は、その長さに沿って、一定の高さではない。それらは、（足指に隣接した）甲の前部において、比較的に低い高さで開始し、甲に沿って、高さが増している。従って、それらの最大高さ（それゆえ、精度）は、甲の前部（この場所で、強力な蹴りの殆どが起こる）ではなく、装着者の足首に隣接して生じる。また、これらの隆起部は、この靴の上部の一体化部分として形成されたポケットに配置される。さらに、ボールは、これらの隆起部の上面およびカッピング効果を与える足の甲と接触するよりもむしろ、これらの隆起部の縁部と接触する。カッピング効果は、ずっと大きい蹴りエネルギーをボールに与えて、ボールに大きな案内を提供する。
【０００８】
従って、本発明の主要な目的は、ボールを蹴る際に使用するためのスポーツ目的用の履き物の改良を提供することにあり、この場合、この履き物の主要な接触表面領域は、ある程度、ボールの形状に対応するようにされ、それにより、蹴るとき、より確実な結果が得られる。
【０００９】
（発明の簡単な説明）
上記目的および他の目的を考慮して、本発明は、履き物の甲またはそれに隣接した部分でボールを蹴るのに必要なスポーツ目的用の履き物の改良であって、蹴り面（これは、凹形上面を有する）が設けられるように、この履き物には、少なくとも１個の挿入物または付加物が備え付けられ、この挿入物は、この甲またはそれに隣接して、該履き物に装着可能であり、この凹形上面の曲率半径は、このボールの曲率半径と実質的に同じであるかまたはそれより僅かに大きく、この少なくとも１個の挿入物は、この甲の前部で最大高さであり、それは、この甲の後部での最大高さと少なくとも同程度である。
【００１０】
好ましくは、この少なくとも１個の挿入物は、実質的に三角形の形状の前面を有する。さらに好ましくは、この前面は、凹形であり、この前面は、このボールの曲率半径と実質的に同じであるかまたはそれより僅かに大きい曲率半径を有する。さらに好ましくは、この前面は、上部先端を有する。
【００１１】
有利には、この少なくとも１個の挿入物は、その長さに沿って、実質的に一定の高さである。
【００１２】
さらに、この少なくとも１個の挿入物は、側面を有し得、これもまた、凹形または平坦であり、この側面の曲率半径は、好ましくは、このボールの曲率半径と同じであるかまたはそれより僅かに大きい。
【００１３】
有利には、この少なくとも１個の挿入物は、この履き物と一体化されている。あるいは、この少なくとも１個の挿入物は、この履き物に取り外し可能または固定可能に装着できる別個の部品である。さらに有利には、この少なくとも１個の挿入物は、垂直断面でほぼ三角形である。あるいは、１個の挿入物が存在し、これは、ほぼＭ形である。
【００１４】
（好ましい実施態様の説明）
発明が充分に理解できるようにするため、限定しない実施例によって、本発明の主要な特徴に、図面に記載の符号を組み込むことにより履き物の品目の好ましい構成を説明する。
【００１５】
サッカーのような球技をするとき、その選手は、異なる蹴り動作を行なうために、ブーツの異なる部分を使用する傾向にある。例えば、それ程パワーを要しないが多大なコントロールを必要とする短い蹴りには、足の親指丘（ｂａｌｌ）の側面、足指、および足の親指丘の外側が使用され得る。足のこの部分では、感触が大きく、従って、選手は、多大なコントロールが得られる。強力な蹴りが必要なときに使用するのは、通常、足の甲である。何故なら、この部分は、足のこの部分の硬い性質および皮膚の下にある一般に骨張った構造を特に考慮すると、蹴るときに多大なパワーを与えるからである。この部分は、ブーツ（これもまた、比較的に硬い）の靴紐の下にある比較的に硬い表面を与えて、硬い蹴り面を設けてボールに最大の蹴りエネルギーを与え、それにより、できるだけ遠い距離にボールを投げ出すようにする。また、甲の異なる部分を使用することにより、ボールは、異なるスピン量を伴って、異なる様式で方向付けできる。これは、一般に、甲の上部（足首に近いところ）ではなく、甲の下部でなされる。さらに、時には、足の踵が蹴り目的に使用される。いずれの場合でも、この靴のこれらの部分では、最新の履き物は、ほぼ凸面のものを有する。ボール自体もまた、凸形である。
【００１６】
全ての図面において、ボールの一部は、それが関係している場合、目立たせて示されている。
【００１７】
図１〜３を参照すると、履き物の品目の第一実施態様が示されており、これは、靴底１０を有し、これは、多数の段差、小枝部、または他の適当な突起部がそこから垂れ下がっている。これらは、主に、この履き物を競技場で使用するとき、着用者にグリップを与えることを目的としている。
【００１８】
この靴は、ほぼ公知構造の上部１４を有し、これは、ヒール１６、足受容開口部１８、および舌革２０を有する。靴紐など２２が設けられ、これは、この靴を着用者の足の上に配置できるように、緩めることができ、次いで、この履き物を着用者の足で保持することができるように、締めることができる。ヒール１６は、図２から明らかなように、好ましくは、ある程度凹形である。
【００１９】
靴紐２２のいずれかの側面では、この靴から長手方向に、挿入物または付加物２４が伸長しており、これは、この場合、この靴と一体化されているが、先の説明から明らかなように、この靴に取り外し可能または固定可能に装着できる別個の部品として、作製され得る。これらは、図３ではっきりと見える。挿入物２４の各々は、ある程度三角形の形状であり、そして外面２６および上面２８を有する。外面２６および上面２８の形状は、プレーする競技の性質に適合するように、変えることができる。
【００２０】
例えば、サッカー競技では、外面２６は、サッカーボールの曲率半径と近似した曲率半径で曲げるべきである。このようにして、外面２６は、上面１４のうち外面２６の直下の部分と合体して、ボールの半径と実質的に同じかまたはそれより僅かに大きい半径の側面主要蹴り領域を形成する。従って、この側面主要蹴り領域は、以前に利用できた領域よりも著しく大きくした領域である。ボールが”カップ状に取り囲まれる”（ｃｕｐｐｅｄ）とき、足の側面を用いて、改良された蹴り精度が得られる。外面２６、および多分、上部１４の関連部分は、ボールに対してさらに大きなグリップを可能にするように、適当な処理を施し得る。従って、蹴ったとき、さらに大きな距離が生じるだけでなく、ボールには、さらに大きなスピンを与えることができる。
【００２１】
理解できるように、上面２８は、サッカーボールを、この靴との衝突時にて、挿入物２４の上面２８および靴紐部分２２により形成される谷２７の表面内に配置してそれと接触できるように、またはこの靴との衝突時にて、１個の挿入物２４の頂点から反れて（ｏｎ  ｄｅｆｌｅｃｔｉｏｎ  ｏｆｆ  ａ  ｐｅａｋ）谷２７に入るように、このサッカーボールの半径と同じかまたはそれより僅かに大きい曲率半径を有する凹部である。挿入物２４の上面２８の曲率半径は、サッカーボールの曲率半径と同じかまたはそれより僅かに大きい。挿入物２４は、この靴と組み合わせて、この靴に接触するボールを” カップ状に取り囲む”。
【００２２】
側面２６および上面２８の曲率半径は、それにより形成された” 谷”にボールが入って、それにより、その関連表面によって” カップ状に取り囲まれる”ように、ボールの曲率半径と同じかまたはそれより僅かに大きい必要がある。もし、これらの表面の曲率半径が、このボールの曲率半径未満であるなら、ボールは、この谷に入ってこれらの表面によりカップ状に取り囲まれることができなくなる。それは、これらの表面の間で規定されている縁部と接触して、それにより、衝撃表面積が小さくなる。もし、これらの表面の曲率半径が、ボールの半径よりも著しく大きいなら、ボールは、この凹面の一部とだけ接触でき、それゆえ、所望の軌道から反れることができる。
【００２３】
挿入物２４は、上部１４からこの靴の足指領域３２へと下に伸長している。挿入物２４は、それらの長手範囲全体にわたって、比較的に一定の垂直断面である。挿入物２４は、その甲に沿って、甲のほぼ前端へと伸長しているのが好ましい。着用者の足の形状の多様性（これは、このブーツの上部の形状に変化を起こし得る）のために、一定高さが達成できない場合がある。従って、このことから、従って、挿入物２４は、その長さに沿った高さの僅かな変化を起こし得る。この甲の下部において最大高さにすることにより、この靴のうち” カッピング”効果が必要な領域（この場所にて、” パワー”蹴りの殆どが行われる）において、ボールに対して最大の” カッピング”効果が達成される。パワー蹴りが行われるとき、ボールは、通常、大きな距離にわたって投げ出されると予想される。本発明を使用することにより、さらに大きな距離にわたって、精度に関して大きなコントロールが達成でき得る。明らかに、もし、ボールが４０または５０メートルの距離を移動するなら、蹴ったときに数度の誤差があると、このような距離にわたって、ボールは、数メートル外れる。これにより、目標とされた選手は、素早く動かなければならなくなるか、または相手チームの選手にボールを向けるおそれがある。従って、この靴において、パワー蹴りが起こる場所では、挿入物２４は、最大高さであり、従って、最大カッピング効果を与える。それらは、甲の上部に向かって（着用者の足首（ここでは、最小の蹴りが起こり、従って、これらの挿入物は、最大高さである必要はない）に近づいて）、高さについて、下向きにテーパを付け得る。
【００２４】
望ましいなら、着用者の足指のすぐ上の部分（これは、一般に、３４として示されている）は、拡大した幅および／または凹形状であり得、通常の蹴り位置のとき、着用者の足は、この履き物と合体して、再度、大きくした主要蹴り領域を設け、それにより、この蹴りの効率および精度を高めるようにされる。主要スポットまたはスイートスポットとして知られている一般領域３６もまた、競技および／またはボールに依って位置が変わるが、利用できる。これは、領域３６の上の甲領域およびその下の足指領域が、挿入物２４と一緒になって、ボールの表面と直接接触する大きな主要蹴り表面領域を与えるからである。
【００２５】
挿入物２４は、必要なら、平行または分岐であり得る。
【００２６】
当然のことながら、蹴るときに、ボールに対して大きなグリップが得られるように、挿入物および／または上部１４の外面２６、２８の上には、表面処理を施し得る。
【００２７】
挿入物２４の範囲および形状は、プレーする競技の性質に依って変わり得る。図４から明らかなように、挿入物２４ａは細長くされ、そして実質的に凹形の領域２６（これもまた、蹴るボールとほぼ同じ曲率半径である）を設けるために、さらに連続した様式で、この靴の甲に沿って、この足指領域へと伸長している。この形式を用いると、着用者の足が充分に屈曲性を有することができるように、挿入物２４のうち、高さを低くした領域３８が存在し得る。図示したこの形状の履き物は、一般に、オーストラリア式フットボール、アメリカンフットボールおよびラグビーのような競技（この場合、楕円形のボールを使用する）向きである。
【００２８】
領域３８はまた、挿入物２４を欠いていてもよく、選手は、運動融通性が充分であり、それにより、走っているときに、正常な様式でこの靴を使用できるようになる。
【００２９】
これにより、挿入物２４ａの各々にて、前端または表面４０が作成される。図示しているように、表面４０は、各挿入物２４ａの縁部にて、略三角形である。その三角形の表面４０は、上部先端４２を有する。表面３４と共に、表面４０は、この靴の足指領域にて、” カップ”効果を生じ、それにより、ボールとの接触表面積を大きくする。それはまた、硬い表面を提供し、これは、この蹴りからボールへと大きなエルネギーを与え得る。それにより、また、上部先端４２がボールと接触することによって、ボールにさらに大きなスピンを与えることが可能となる。
【００３０】
これは、図５および６でさらに図示されており、この場合、図５では、挿入物２４ｂは、上部先端４２ｂと共に前面４０ｂを有するとして、示されている。この図から分かるように、上部先端４２ｂは、蹴ったときに、ボールの表面に”埋め込んで（ｄｉｇ  ｉｎｔｏ）”、それにより、ボールにさらに大きなスピンを与え易い。使用できる両方の上部先端４２ｂを用いて、選手は、所望のスピンを与えるために、その足の方向をコントロールできるようになる。それには、また、ボールの表面がこの靴のさらに大きな表面領域と接触するように、足指部分３４ｂに凹形”カップ”が設けられる。
【００３１】
図６では、挿入物２４ｃは、前面４０ｃを有し、これは、それ自体、ある程度凹形である。表面４０ｃの曲率半径は、ボールの曲率半径と同じかまたはそれより僅かに大きい。このようにして、ボールに対する”カッピング(cupping)”効果が著しく高まる。しかしながら、上部先端４２ｃは、依然として存在し、従って、依然として、ボールを蹴るとき、ボールをスピンさせる高い性能を与えるために、また、”ピーンという音がする”（ｐｉｎｇ）ように、上部先端４２ｃを使用することが可能である。
【００３２】
この効果は、このブーツのいずれかの側面にて、異なる挿入物２４の高さを変えることにより、大きな利点を与えるために使用できる。図７および８は、図３とある程度類似した図であるが、この靴の足指に向けて見ている断面である。
【００３３】
図７では、左挿入物２４ｄは、高さを高くして作製されており、そして右挿入物２４ｅは、高さを低くして作製されている。このようにして、各々は、異なる高さの前面４０（これらの図面では図示せず）および先端４２（これもまた、図面では図示せず）を有する。このようにして、蹴ったときのボールに対する効果は、このブーツのいずれかの側面にて、異なるようになる。図７で示した異形では、選手は、右側よりも左側にて大きな接触面積で、また、右側よりも左側に対して前面４０および先端４２の効果が大きく、ボールを蹴ることができるので、ボールは、空中を移動するとき、左側から右側へと曲がり易いように、時計方向で著しいスピンを与える。このことは、サッカー競技において、例えば、左ウイングがこのようなブーツを右足に履いて、ゴールに向けて蹴ったとき、依然として、左側から右側へとボールの向きを変えることができる場合にて、非常に有利である。これは、選手がボールを蹴ったときに生じる普通のカーブとは反対である。
【００３４】
同様に、図８の実施態様は、著しく高さを低くした左挿入物２４ｆおよび高さを高くした右挿入物２４ｇを示している。このようにして、図８の例を用いて、このブーツを右足に履いた選手は、反時計方向にボールに大きなスピンを与え易く、それにより、ボールは、飛行中に、右側から左側へと曲がる。従って、これは、右ウイングに適しており、彼は、ゴールに向かってボールの向きを非常に効果的に変えることができるように、ボールに対して大きな湾曲を与えることができる。
【００３５】
もしかしたら、プレースキックからゴールを目指して蹴るラグビーのような競技では、図７で示したようなブーツは、装着者が左足に履いたとき、競技場の右側から蹴るとき効果的であり、それにより、ボールは、センターラインの方へと向きを変えてゴールに近づいて、得点する最大の機会を与えるかも知れない。同様に、図８のブーツは、競技場の左側から蹴るとき、プレースキックで右足蹴りの選手の右足に装着して、それにより、ボールがゴールに近づく角度を小さくして、その結果、ボールは、完全に開いた状態のゴールを効果的に見通すので、それにより、得点の機会を高めることができる。
【００３６】
このようなブーツには、簡単に再装填される縛りまたは固定システムを備え付け得、例えば、ラグビーのような競技では、プレースキックを行う選手は、ブーツをこのようなブーツ設計（これは、ゴールに向かってキックを行うとき、大きな効果がある）へと非常に迅速に変えることができるようになる。ラグビー競技では、そのための充分な時間が許される。
【００３７】
靴紐２２のいずれかの側面に挿入物２４を存在させることが好ましい。図示しているように、これらは、この履き物と一体化している。しかしながら、それらは、別個の品目（これは、”ベルクロ（Ｖｅｌｃｒｏ）”または他の適当な様式で、この靴紐穴を通っておよび／またはこの靴の回りに固定することにより、この履き物に装着できる）として、作製され得る。
【００３８】
さらに、挿入物２４は、その底面および／または上面２８に余分な層を追加することにより、高さを調節可能にし得る。また、表面２６、２８の処理の性質は、異なる天候、グランドの状態、またはプレーする競技のスタイルを考慮して、変えることができ得る。これは、接着剤、ネジ、クリップ、”ベルクロ”、革紐などにより、達成され得る。
【００３９】
もし、望ましいなら、各挿入物２４の下面は、１個またはそれ以上の突起部を有し得、これらは、上部１４の対応したサイズおよび形状の穴を通って、ボールの”感触”を着用者の足に直接転移できるようにする。
【００４０】
この靴の上部１４は、その外面にて、高くした突起部の形状で、表面処理を有し得る。これらは、表面作成の一部として別々に配置された楔の形状で、設けられ得る。これらは、この表面と一体化される（これらは、この表面の成形中に製造される）か、または後で付け加え得る。他の形状の表面処理は、例えば、一連の細かい長方形の格子形状である表面を設けることにより、行われ得る。これらは、ボールに対してさらに多くのコントロールを行うことができるように、蹴るときにボールの表面にさらに大きなグリップを与えることを目的にしている。それらはまた、ボールにさらに大きなスピンを与えるのに使用できる。この表面処理は、この靴の全表面領域にわたって、またはボールを蹴るときに通常使用する靴の側面だけにおいて、伸長し得る。さらに、それは、異なる材料（例えば、このような表面がないときに可能なよりもずっと多くのグリップをボールに与えることができるように、粘着性または触感を有するゴム）から製造され得る。
【００４１】
今ここで、図９の実施態様を参照すると、ワンピース構造の形状で略”Ｍ”形の挿入物が示されている。従って、上面９２８は、この挿入物だけによって形成されている。上面９２８の曲率半径は、蹴るボールの曲率半径と同じかまたはそれより僅かに大きい。この図から分かるように、挿入物９２４の高さは、その長さに沿って比較的に一定であり、従って、挿入物９２４の前部では、再度、最大”カッピング”効果が生じ、この靴のうちパワー蹴りが行われる（それにより、精度が最も要求される）部分では、最も高い精度を与えることができるようになる。このようにして、上面９２８は、ボールの表面と一致する。
【００４２】
これにより、また、足からボールへの最大のエネルギー伝達を起こすことが可能となる。挿入物上面９２８の形状は、ボールの関連部分の形状と同じであるので、蹴った瞬間のボールの外面の歪みは最小であり、従って、その蹴りエネルギーは、ボールの外面の歪みよりもむしろ運動の形状で、ボールに伝達される。そのようにして、さらに大きな精度が達成され得るだけでなく、大きな距離も実現できる。
【００４３】
これはまた、先に記述した実施態様にも適用される。
【００４４】
また、図９の実施態様は、前面９４０にて、図５、６、７および８で示したもの（類似の理由のために、これらの実施態様について記述したもの）と同じ特徴を有し得る。
【００４５】
特定の実施態様では、その性質によって、靴紐９２２は、挿入物９２４の側面に沿っており、従って、挿入物９２４の一端９３１に沿って、複数の穴９２９が設けられており、靴紐９２２が、この靴を通常の様式で締めたり緩めることが可能なように、そこに通すことができるようにされる。
【００４６】
今ここで、図１０を参照すると、第８の実施態様が示されており、この実施態様では、通常のフットボールシューズ形状の靴が存在し、従って、詳細には記述しない。しかしながら、それは、この靴を着用者の足に固定するのに使用される靴紐５２２を有し、靴紐５２２は、紐穴５２３に通される。
【００４７】
この形状では、一般に５２１として示す挿入物は、図９の実施態様のように、断面がある程度”Ｍ”形状である。それは、谷５２７を作っている上部リッジ５２４を有し、この谷は、凹形であり、そして蹴るボールの半径と同じかまたはそれより僅かに大きい半径である。再度、それは、前面５４０を有し、これは、再度、ボールの曲率半径と同じかまたはそれより僅かに大きい曲率半径で曲げられている。
【００４８】
この靴に挿入物５２１を固定するために、挿入物５２１の側面５２７または下面５３９のいずれかから突出している複数のフック５３５が存在する。このようにして、フック５３５は、この靴に挿入物５２１を固定できるように、紐穴５２３に引っかかる。
【００４９】
挿入物５２１は、僅かに弾力性の材料から製造して、この挿入物が僅かに伸展して、それにより、紐穴５２３に入れたとき、張力を受けたフック５２５を有するのが好ましい。さらに、それにより、着用者の足の形状に依存して、この靴の一方の側から他の側へと、異なる離間距離の紐穴５２３について調節することが可能となる。
【００５０】
フック５３５は、側面５３７または下面５３９から伸長できる。それらは、長さが異なり得、または異なる足形状の人が、その足の形状に適合するために、異なる長さのフックを有することができるように、挿入物５２１に解除可能に装着可能であり得る。フック５３５は、（図示しているように）上方に向けられ得または下方に向けられ得る。それらは、異なる長さであり得る可撓性コード（図示せず）によって、この挿入物に装着され得る。
【００５１】
挿入物５２１は、中実構造、中空または半中空であり得る。
【００５２】
今ここで、図１１〜１３の実施態様を参照すると、挿入物６０を装着したまたは装着可能な比較的に通常の形状の靴が示されている。挿入物６０は、先の実施態様のものとほぼ同じ構造である。このようにして、それは、ボールの曲率半径と実質的に同じかまたはそれより僅かに大きい曲率半径の谷６２を有する。谷６２は、挿入物６０の全長にわたって伸長している２個のリッジ６４により、作成される。各側面には、先端６６が設けられ、リッジ６４は、先端６６から２方向で、下向きにテーパを付けられている。これらのうちの第一のものは、一般に、６８として示され、そして外向きにテーパ状となって、この挿入物のその側の下端７０と合流している。それは、縁部７０および前端７２とも合流する点まで、テーパ状となっている。
【００５３】
他のテーパ付きリッジは、一般に、７４として示され、そして下方であるが谷６２の中心に向かってテーパが付けられている。これは、従って、三角領域７６を作り、これは、ある程度前方およびある程度側方に面している。これは、多大なスピンを与えるが大きなパワーを要しない様式でボールを蹴るときに、有利である。このようにして、ボールは、湾曲され得る。三角領域７６は、ほぼ凹形の形状であり、その曲率半径は、好ましくは、ボールの曲率半径と実質的に同じかまたはそれより僅かに大きい。当然のことながら、これは、挿入物６０の両側で繰り返される。
【００５４】
挿入物６０の頂端７８は、ある程度凹形であるが、下端８０は、一般に、凸形であり、その結果、この挿入物は、この靴にぴったりと嵌め込まれる。
【００５５】
この谷の”床部”は、２個のリッジ７４間の部分であるが、前端８０が最小の厚さであるように、比較的に薄い。
【００５６】
しかしながら、図１２および１３から分かるように、図１３が、リッジ６４の１個に沿った断面図である場合、リッジ６４に沿った挿入物６０の高さまたは厚さは、挿入物６０の前面に向かって大きくなる。あるいは、それは、この挿入物の前部から後部へと小さくなっていると言える。これは、最大効果が必要な場合に、”カッピング”効果が最大となるようにされる。
【００５７】
もし、望ましいなら、その間に任意の靴紐を置く目的のために、下端７０に隣接して、挿入物６０の各側面に沿って、複数の穴８２が設けられ得る。
【００５８】
挿入物６０の長さに沿って、谷６２の”床部”でのこの挿入物の厚さは、もし、望ましいなら、最小であり得る。
【００５９】
上記挿入物は、以下の多数の変化する性質に合うような形状にするのが好ましい：
１．人間の足の形状；
２．使用する種々のボールの一定曲線または半径（ｒａｄｉａｔｕｒｅ）；および
３．足の甲に沿って正しい位置で最大有効性を有する必要性。
【００６０】
人間の足の形状が、人ごとに、また、個人の左足から右足へと変わり得るので、この挿入物を、一定形状から作成すること、および足の形状の変化に吸収できる性能を備えた媒体をそこに充填することが望まれ得る。これは、この挿入物を中空構造として製造することにより作成され得、この挿入物の中空構造を満たす充填媒体を存在させて、そしてこの充填媒体が人間の足の形状の変化（従って、この靴（これは、本質的に、足の形状に追従する傾向にある）の形状の変化）を補償することができるように、この靴の上面との接触を与える。このことは、空気（空気袋中の）、発泡体、またはゲル（これは、一旦、適当な位置に置くと、硬化できる）のような空隙充填媒体を使用することにより、達成され得る。同じことは、発泡体にも当てはまる（それは、この変化形状が調整できるように、その場で硬化できる）。このことは、この挿入物が（靴紐を使用する図９の実施態様のように）一側面に沿って装着され、そしてこの靴の上部に配置され付着されるように、使用者が使用できる適切な機構を設けることにより、達成され得る。この空気は、空気調節可能スポーツ靴用の公知技術と類似の様式で、添加できる。このゲル、発泡体などは、適切な硬化剤も注入して、注入できる。これは、適切な手段を与え、この手段により、この発泡体またはその硬化剤は、この挿入物と靴の上部との間の空隙を満たすように挿入して空隙充填材料を形成し、その結果次いで、選手は、この挿入物付きの靴を容易に着用でき、そして完全な適合にできるだけ近くできる。
【００６１】
一部の選手は、ボールに対する最大の跳ね返りまたはエネルギー付与が得られるように、極めて硬い空隙充填材料を望んでいる場合がある。これは、例えば、蹴るときに大きな距離が要求されるゴールキーパーに有用であり得る。ボールをもっとコントロールしたいストライカーなどには、少ない硬化剤を使用することにより、僅かに硬くない硬化が達成でき、それにより、ボールのさらに大きなコントロールが得られる。
【００６２】
従って、所望の要求された弾力性または硬度／柔軟性を得るために、硬化剤の注入または混合により、成形し引き続いて硬化する性能によって、依然として、所望の性能効果を備えつつ、全ての形状のフットボール靴を、この挿入物に適合するように、また、個人の足およびその輪郭の合理的な変化を考慮するように作製することが可能となる。これは、この挿入物以外の他の装置と共に、または他の形状の靴（例えば、ランニング靴、自転車に乗るための靴、または他の形状のスポーツ靴、または靴一般）に使用でき、その結果、この靴では、足の形状の変化が許容できるようになる。
【００６３】
本明細書中で開示し規定した本発明は、ここで述べた個々の特徴または教本若しくは図面から明らかな個々の特徴の２つまたはそれ以上の全ての代替的な組合せへと拡張されることが理解できる。これらの異なる組合せの全ては、本発明の種々の代替的な局面を構成する。
【００６４】
”包含する”またはその文法的な異形が本明細書中で使用されている場合、それは、”含有する”との用語と等価であり、他の要素または特徴の存在を排除するものと見なされないこともまた、理解できる。
【図面の簡単な説明】
【図１】  図１は、本発明の主要な特徴を包含する履き物の品目の上部斜視図である。
【図２】  図２は、図１の履き物の品目の後下から見た斜視図である。
【図３】  図３は、図１および２の履き物の品目の垂直断面図である。
【図４】  図４は、本発明の主要な特徴を包含する履き物の品目の第２実施態様の斜視図である。
【図５】  図５は、本発明の主要な特徴を包含する履き物の品目の第３実施態様の側面図である。
【図６】  図６は、本発明の主要な特徴を包含する履き物の品目の第４実施態様の側面図である。
【図７】  図７は、本発明の第５実施態様の履き物の品目の一部の垂直断面図である。
【図８】  図８は、本発明の第６実施態様の履き物の品目の一部の垂直断面図である。
【図９】  図９は、本発明の第７実施態様の斜視図である。
【図１０】  図１０は、本発明の第８実施態様の分解斜視図である。
【図１１】  図１１は、本発明の第９実施態様の平面図である。
【図１２】  図１２は、図１１の実施態様の概略側面図である。
【図１３】  図１３は、この第９実施態様の部分断面図である。
【図１】
0004428861.tif 000002
【図２】
0004428861.tif 000003
【図３】
0004428861.tif 000004
【図４】
0004428861.tif 000005
【図５】
0004428861.tif 000006
【図６】
0004428861.tif 000007
【図７】
0004428861.tif 000008
【図８】
0004428861.tif 000009
【図９】
0004428861.tif 000010
【図１０】
0004428861.tif 000011
【図１１】
0004428861.tif 000012
【図１２】
0004428861.tif 000013
【図１３】
0004428861.tif 000014